Podtech/llm-jp-corpus-v4-ja_patent huggingface dataset:
(57)【要約】      （修正有）【課題】短い距離の調整ができるショートアプローチショットやパッティングを共用できるゴルフクラブを提供する。【解決手段】両膝や片ヒザを立てた姿勢でスウィングできるように、クラブの長さを１８インチとし、このクラブシャフトの根元部から先端部までを長いグリップで覆い、グリップを握る手の位置を自在にかえられるようにした。【選択図】図２
2007136132.tif 000002
【特許請求の範囲】
【請求項１】
両膝や片膝を立てた状態でスウィングができるようにクラブシャフトの長さを短くすると共に、このクラブシャフトの根元部から先端部までを長いグリップで覆い、握る手の位置を自在に換えられるようにしたゴルフのクラブやパター
【発明の詳細な説明】
【技術分野】
【０００１】本発明は、両膝立ちや片膝立ちをした姿勢でスウィングができるように、クラブシャフトの長さを短くすると共に、このクラブシャフトの先端部から根元部までを長いグリップで覆ったもので、これにより、飛距離を抑えると共に細かい距離の刻みを可能とした、短距離専用のゴルフクラブやパターに関するものであります。
【背景の技術】
【０００２】従来の遠くの方へ飛ばす８０ヤード以上のショットでは、長さの異なる１０から１３種類ものクラブを用意して、段階的な距離の打ち分けができるようになっています。
これに対し、グリーン周りやグリーン上のよりデリケートなショットでは、ピッチィングやサンドウェッジやパター等のわずか１本のクラブを用いて長短を打ち分けねばなりませんでした。
つまり、短い距離に対しては合致するクラブが用意されてないのです。
矛盾しています。
【発明の開示】
【発明が解決しようとする課題】
【０００３】従来のクラブを使用して、ビギナーにショートアプローチやパットをさせた場合、ボールがどこにいくのか解りませんし、飛び過ぎたりします。
また、かなり永い経験があり練習を積んだものでも、チョロやダフリやトップは日常茶飯事です。
この大半の原因は、短い距離に対してクラブが長すぎる事にあるのです。
例えるなら、大ハンマーを用いて小さな釘を打っているようなものなのです。
しかし、従来は、立った姿勢でのスウィングが前提となっていますので、極端に短いクラブを使用する事はできませんでした。
従い、５、６０ヤード以下の距離をより細かく刻むには、どうすればよいか、そして、スコアーを良くするにはどうすればよいのかが課題です。
【課題を解決するための手段】
【０００４】従来の課題を解決する手段として
まず、両膝や片膝を立てた姿勢でスウィングをする事にしました。
この姿勢ならば、従来のクラブの半分位にした極端に短いクラブを使用しても楽にスウィングすることが可能です。
日本ゴルフ協会の規則によれば、ゴルフクラブの長さは１８インチ、つまり、４５７、２ミリ以上となっております。
従い、このクラブの長さは１８インチとします。これ以下にはできませんが、身長やスウィングのし易さによって若干、長くする場合があります。
また、ロフト角、その他もすべて協会規約を遵守します。
この短くしたゴルフクラブを用い、両膝や片膝を立てた姿勢でスウィングすると、バックスウィングが自然に小さくなります。同時にクラブヘッドの軌道も小さくなりますので、飛距離を抑える事ができます。
もう一つの解決の手段は、この短いゴルフクラブをさらに段階的に短く使えるようにしました。クラブシャフトの根元部から先端部までを太めの長いグリップで覆ったのです。
よって、クラブシャフトを握る手の位置は、自在に変える事ができます。
両手を一体化して打ってもいいし、左右の手を離してもいいのです。
最も根元の部分を握ってクラブを短く使えば、わずかな距離しか飛びません。
先端部側を握れば、クラブを長く使うことになります。
この一本のクラブだけで細やかな距離の打ち分けができますので、長さの異なる何本分もの短いクラブと同等の働きをするのです。
ここに、世界初の短距離専用のゴルフクラブが誕生したのです。
【発明の効果】
【０００５】従来と比較し、グリップを握る手とボールの位置、目とボールの位置がもの凄く近くなりますので、ジャストートの確率が飛躍的に上昇します。【０００６】また、握った手の位置で、飛距離がほぼ決まりますので、誰もが細かな距離を刻む事ができます。また、安心してショットができます。【０００７】また、両膝や片膝を立てた姿勢は、膝や腰のヒネリという余分な動きを排除すると共に、器用な手先を存分に生かして打てますので、ダフリやトップやチョロというミスショットが少なくなります。【０００８】また、上記の事により、グリーン上やグリーン周りの往復回数が減りますのでスコアーが格段に良くなり、ゴルフを楽しめます。【０００９】また、上記により、スコアー１００以上の人が減りますので、プレイ時間が短縮でき、多くのプレイヤーとゴルフ場を喜ばせます。
【発明を実施する為の最良の形態】
【００１０】以下、本発明の実施の形態を図１、図２  に基づいて説明します。
身長１６５ｃｍのプレイヤー３に短距離専用のゴルフクラブ１を持たせ、両膝を立てさせてアドレスをとらせました。
ゴルフクラブの長さは１８インチです。図１、図２
グリップを握る手の位置を根元側や先端側にかえて、ショットの打ち分けをしてもらいました。すぐにジャストミートのコツを覚えました。
【図面の簡単な説明】
【図１】本発明の短距離専用クラブ１を使用し、右利きプレイヤー３が両膝を立てアドレスしている状態を示した図です。正面図、側面図
【図２】短距離専用クラブ１の正面図、側面図
【符号の説明】
【００１１】短距離専用クラブ１、ボール２、プレイヤー３、クラブシャフト４、グリップ５、クラブヘッド６
【図１】
2007136132.tif 000003
【図２】
2007136132.tif 000004
(57)【要約】【課題】  化粧品本来が持っている美容効果をより高める使用方法を提供することを課題とする。【解決手段】  化粧用シートパックにアルギン酸Ｎａ、スクワラン、アテロコラーゲン、チャ実油を配合し、化粧水等とシートパックを同時に使用することによる、双方の美容効果の相乗効果を発揮させることを特徴とする。【特許請求の範囲】
【請求項１】
化粧水等と溶解性化粧用シートパックを同時に使用することにより、化粧用シートパックの美容成分と化粧水等の美容成分が相乗効果を発揮する方法。
【発明の詳細な説明】
【技術分野】
【０００１】  本発明は、化粧水等、水溶性化粧品の美容効果を高める目的で、化粧用シートパックを使用する方法及び組成成分に関する。
【背景技術】
【０００２】  従来の化粧水や化粧用シートパックは、それぞれが独立した製品として利用されてきた為、それらの美容効果が完全に発揮されているとはいえなかった（特許文献１乃至４参照）。【０００３】  その結果、化粧水の美容効果と化粧用シートパックの美容効果がそれぞれ独立したものとなってしまい、相乗効果を生み出すことなくその使用を終えてしまっていた。
【特許文献１】特許公開平１１−１１６４３５号公報
【特許文献２】特許公開平１１−４９６３５号公報
【特許文献３】特許公開２００１−３３５４３０号公報
【特許文献４】特許公開２００５−１８５３９１号公報
【発明の開示】
【発明が解決しようとする課題】
【０００４】  本発明は、上記のような従来の化粧水及び化粧用シートパックの使用方法が有していた問題を解決しようとするものであり、化粧水と化粧用シートパックを同時に使用することにより、更なる美容効果を上げる事を目的とするものである。
【課題を解決するための手段】
【０００５】  肌への美白と保湿効果を高めるため、アルギン酸Ｎａ、スクワラン、アテロコラーゲン、チャ実油を化粧用シートパックに配合し、化粧水には弱酸性キトサン、リン酸アスコルビルＭｇを配合した。【０００６】  当該シートパックを洗顔後の清潔な顔面に添付し、その上から化粧水等の水溶性美容液を塗布して３〜５分間、指の腹で軽くマッサージをすることにより、人体の熱で温められた化粧用シートパックが溶解を始め、上記の美容成分と化粧水等に含まれる美容成分が同時に肌への浸透を始める。
【発明の効果】
【０００７】  化粧用シートパックに含まれる成分と化粧水等に含まれる弱酸性キトサンが同時に肌に浸透することにより、双方の美容成分の相乗効果が期待でき、肌への水分補給及び水分保持機能が、従来の化粧水、化粧用シートパックの使用方法に比し劇的に向上する。【０００８】  更に肌の水分補給・保持機能が向上することによって、保湿作用も向上し、皺やたるみを改善する作用も見込める。
【発明を実施するための最良の形態】
【０００９】  この発明の好ましい実施形態として、洗顔後の清潔な状態の顔面に化粧用シートパックを添付し、その上から化粧水等を適量塗布し、指の腹でよくマッサージをする使用形態が挙げられる。【００１０】  化粧品に含まれる美容成分は、空気中の埃や皮脂と混ざってしまうことによってその効果を最大限に引き出すことができなくなってしまう為、この使用形態を挙げた。
【実施例】
【００１１】  従来の化粧品、及び化粧用シートパックの利用ではそれぞれの美容成分の働きが各個毎に作用するも、双方の相乗効果が見込めなかった。【００１２】  そこで、２０歳から４０歳台の女性数名に、化粧用シートパックと化粧水を本件発明に係る使用方法にて使用してもらったところ、使用後約一月で肌の張りが改善し、美白効果もあるとの回答を得た。
【産業上の利用可能性】
【００１３】  化粧品業界においては、化粧品類の製品開発はもとより、その使用方法についても各社それぞれ企業内部での研究開発が進められており、本件発明を当業者に提供することによって各社の研究意欲も増幅し、以て製品自体の研究開発に対する姿勢及び意欲、モラルが高まり、化粧品業界全体の産業の発達に寄与することが可能となり、その利用可能性は高い。
(57)【要約】【課題】  虫の捕獲時に、つぶしてしまうと床や壁が汚れ不衛生で後始末が大変という不都合を解決すること。【解決手段】  虫取りカートリッジを掃除機に取付捕獲することにより、この課題を解決する。【選択図】図２
2007136120.tif 000002
【特許請求の範囲】
【請求項１】
従来の掃除機のパイプに脱着可能であることを特徴とする。
【請求項２】
虫キャッチフィルター（防臭・抗菌）を有することを特徴とする。
【請求項３】
内部に粘着面を設け、入り口に逃げ防止用の逆止弁を有することを特徴とする。
【発明の詳細な説明】
【技術分野】
【０００１】  本発明は、虫取りカートリッジに関するもので、従来の掃除機のパイプに取付ることにより容易に害虫等を捕獲でき、簡単に処分できるようにした。
【背景技術】
【０００２】  従来から、出現した虫に対して、新聞を丸めて追い回し、たたきつぶしたり、専用スプレーで撃退する方法がとられている。
【特許文献１】知らない。
【非特許文献１】知らない。
【発明の開示】
【発明が解決しようとする課題】
【０００３】  しかし出現した虫を新聞でたたきつぶし撃退すると、床や壁などを汚し不衛生であり、後片付けも大変であるという不都合を解決することを課題とする。
【課題を解決するため手段】
【０００４】  この課題を解決するための請求項１の発明は、掃除機のパイプに取付が簡単にでき、掃除機の吸引力を利用することにより、虫の捕獲が容易にでき床や壁などを汚さず衛生的で、捕獲後の後始末も簡単にできる。
【０００５】  また、請求項２の発明は、カートリッジ本体内部に、（５）虫キャッチフィルター（防臭・抗菌）を設けることにより、掃除機本体への虫搬送を止める。
【０００６】  請求項３は、カートリッジ内部に、（３）逆止弁及び（４）粘着面を設けることにより捕獲虫を逃がさないようにする。
【発明の効果】
【０００７】  本発明により、虫が出現した場合カートリッジ装着の掃除機により、素早く捕獲でき、床や壁も汚さず、捕獲後のカートリッジ処理も衛生的にかつ簡単にできる。
【発明を実施するための最良の形態】
【０００８】  図１は、カートリッジの全景図である。本体の材料は、紙（再生紙可）である。【０００９】  図２は、カートリッジの断面図である。（３）逆止弁は、掃除機の吸引時に開き停止時時に閉まる、材料はブラシ等の繊維でも可である。（４）粘着面は、吸引した虫を動けなくする。（５）虫キャッチフィルター（防臭・抗菌）により掃除機本体へ捕獲虫の搬送を止める。（２）接続部の形をテーパーにし、掃除機のパイプへの接続を容易にするとともに、カートリッジとパイプの密閉度を高める。
【産業上の利用可能性】
【００１０】  本発明に係る虫取りカートリッジは工業的に量産することが可能であるため産業上の利用可能性を有する。
【図面の簡単な説明】
【００１１】
【図１】    カートリッジの全景図である。
【図２】    カートリッジの断面図である。
【符号の説明】
【００１２】      １    カートリッジ本体
２    接続部
３    逆止弁
４    粘着面
５    虫キャッチフィルター
【図１】
2007136120.tif 000003
【図２】
2007136120.tif 000004
(57)【要約】【課題】妊婦の行動範囲の拡大にともない、公共交通機関を利用することが多いが、特に妊娠初期においては他人に妊娠していることを気づいてもらえず座席を確保できない。また外出先や勤務中に有事の際、かかりつけ病院のカルテ等の情報を持ち合わせていないため近隣の病院等で必ずしも適切な医療を受けることができない。【解決手段】妊娠していることを示すロゴマークを設定し、装身具に入れることで他人に妊娠していることを周知することが可能となり座席を確保できる。また有事の際、本人の氏名、緊急連絡先を始めとして、出産予定日、血液型、既往歴、アレルギーの有無、かかりつけ病院のカルテ等医療情報を電子記録媒体に記録しておけば、適切かつ迅速な対応をとることが可能である【選択図】図１
2007136114.tif 000002
【特許請求の範囲】
【請求項１】
本体の一部分に所定の機器により個人に係るデータを読み書きできる電子記録媒体を有する部材を組み込んだことを特徴とする装身具。
【請求項２】
前期本体は、指輪、ブレスレット、キーホルダー、時計、ペンダント、ブローチ、お守りのいずれか一つの形状であることを特徴とする請求項１記載の装身具。
【請求項３】
前記部材は、前記電子記録媒体に対する前記データの読み書きができることを特徴とする請求項１または２記載の装身具。
【請求項４】
前記個人に係るデータとして画像データを入出力できる機能を有することを特徴とする請求項１〜３のいずれかに記載の装身具。
【請求項５】
前記個人に係るデータとして音声データを入出力できる機能を有することを特徴とする請求項１〜４のいずれかに記載の装身具。
【請求項６】
前記すべてのデータの送信、受信または送受信のいずれかの機能を有し、前記データの読み書きができることを特徴とする請求項１〜５のいずれかに記載の装身具。
【請求項７】
送信、受信または送受信のいずれかの機能を有し、他のデータ処理装置と通信できることを特徴とする請求項１〜６のいずれかに記載の装身具。
【請求項８】
前記電子記録媒体は、ＩＣチップ、ＩＣタグ、ＩＣカードであり、他のデータ処理装置と通信できることを特徴とする請求項１〜７のいずれかに記載の装身具。
【請求項９】
前記個人とは妊娠している女性とし、請求項１〜８のいずれかに記載の装身具。
【発明の詳細な説明】
【技術分野】
【０００１】本発明は、妊婦が妊娠を周知すること及び一般にＩＣと称する可搬の電子記録媒体使用技術に関するものである。
【背景技術】
【０００２】妊娠初期の妊婦は他人に気づいてもらうことが少なく、公共交通機関を利用する際、座席を確保できず母子ともに負担が大きい。また有事の際、近隣の病院ではなく有事の重大さよりカルテを持つかかりつけ病院に行くことが余儀なくされている。
【特許文献１】
【特許文献２】
【非特許文献１】ＴＰ１０−１５５５２６
【非特許文献２】
【発明の開示】
【発明が解決しようとする課題】妊婦の行動範囲の拡大にともない、公共交通機関を利用することが多いが、特に妊娠初期においては他人に妊娠していることを気づいてもらえず座席を確保できない。また外出先や勤務中に有事の際、かかりつけ病院のカルテ等の情報を持ち合わせていないため近隣の病院等で必ずしも適切な医療を受けることができない。
【課題を解決するための手段】妊娠していることを示すロゴマークを設定し、装身具に入れることで他人に妊娠していることを周知することが可能となり座席を確保できる。また有事の際、本人の氏名、緊急連絡先を始めとして、出産予定日、血液型、既往歴、アレルギーの有無、かかりつけ病院のカルテ等医療情報がわかれば、適切かつ迅速な対応をとることが可能である
【発明の効果】妊娠中の流産、早産、めまい、立ちくらみ、出血というリスクに対して座席を譲ってもらうことで快適に公共交通機関を利用することが可能となり、また有事の際には適切かつ迅速な医療を受けることが可能となる。
【発明を実施するための最良の形態】
【０００３】本発明は、装身具の一部に妊娠していることを示すロゴマークを設定することによって妊婦のみが使用できるものとする。【０００４】装身具の一部に個人に係るデータを読み書きできる電子記録媒体を搭載しておく。
【図面の簡単な説明】
【図１】本発明の実施に装身具の一例としてのブレスレットの概観図
【符号の説明】
１．  紐部材
２．  本体
３．  記録媒体
【図１】
2007136114.tif 000003
(57)【要約】【課題】人間の顔面は、各部位によって凹凸部が多くあり、化粧用シートパック等を用いても部位によってその美容効果にはむらが生じる懼れがあるため、顔面全ての面に対して均等に化粧水等の有効成分を塗布できる化粧用シートパックの使用方法を提供することを課題とする。【解決手段】顔面の形状を考慮し、シートパックを肌表面に添付しやすく縦横にミシン目を入れ円形状としたことを特徴とする。【特許請求の範囲】
【請求項１】
顔面の凹凸を気にせず全ての面に対し、均等に化粧水等を塗布するため、シートパックに縦横のミシン目をつける方法。
【発明の詳細な説明】
【技術分野】
【０００１】  本発明は、皮膚の保湿効果等の美容目的をもって使用する化粧用シートの構造及び利用方法に関する。
【背景技術】
【０００２】  従来の化粧用シートパックは、その構造がほぼ一定であり、目尻や眼裂下部等、所謂「肌年齢」が気になる箇所への対処方法は、化粧用クリーム等を用いて美容施術を行うほかなかった（特許文献１乃至５参照）。【０００３】  その結果、従来の化粧用シートパック使用者は、当該シートを用いる他、化粧用クリーム等、別の化粧品も用いる必要があり、同一の化粧品による均等な美容効果を期待する事が困難であった。
【特許文献１】特許公開平１１−１３０５２５号公報
【特許文献２】特許公開平１１−１１６４３５号公報
【特許文献３】特許公開２００１−３３５４３０号公報
【特許文献４】特許公開２００５−１８５３９１号公報
【特許文献５】特許公開２００５−２００３３７号公報
【発明の開示】
【発明が解決しようとする課題】
【０００４】  本発明は、上記のような従来の化粧用シートパックの使用方法、及び構造が有していた問題を解決しようとするものであり、シートパックに染みこませた有効成分を人体表皮の如何なる箇所に添付したとしても、むらなく均等に当該有効成分の効果を発揮させることを目的とするものである。
【課題を解決するための手段】
【０００５】  有効成分を効果的に肌に染みこませる為に、シートの構造を円形とし、更にシートに縦横のミシン目状の折り目をつけ、肌の凹凸を気にすることなく、どのような箇所にでも添付できる構造とした。【０００６】  シートを組成する成分は、グアーガム、ペクチン、サクシニルアテロコラーゲン、ヒアルロン酸Ｎａ、加水分解コラーゲン末、スクワラン、グリセリン、タウリン、リシンＨＣｌ、グルタミン酸、グリシン、ロイシン、ヒスチジンＨＣｌ、セリン、バリン、アスパラギン酸Ｎａ、トレオニン、アラニン、イソロイシン、アラントイン、フェニルアラニン、アルギニン、プロリン、テロシン、イノシン酸２Ｎａ、グアニル酸２Ｎａ、テトラオレイン酸ソルベス−４０、であり、これらの成分は、化粧水等の有効成分と相俟って美容効果を高める。【０００７】  使用方法は、洗顔後に、化粧水等を肌に塗布し、その上から当該シートを貼付し、指や手で貼付個所をマッサージすると、上記各種有効成分を含んだシートが溶解し、塗布した化粧水と融合して肌へ浸透を始める。
【発明の効果】
【０００８】  上記に示したシートの組成成分には、肌の真皮層まで化粧水等の有効成分を浸透させる効果が見込めるが、シートの構造を円形とし、縦横のミシン目を付けることにより、目尻や小鼻の脇といった通常の化粧用シートでは添付しづらく、化粧水等の有効成分が肌に付着しにくかった箇所へも頬や額と同様に添付することが可能となり、むらなく顔全体に有効成分を浸透させることができる。
【発明を実施するための最良の形態】
【０００９】  この発明の好ましい実施形態として、洗顔後の清潔な状態の顔面に化粧水等をよく塗布させ、その上からシートを顔面の目尻や小鼻といった凹凸箇所に付着させる使用形態が挙げられる。【００１０】  目尻や小鼻は、その顔面の構造上、頬や額に比べて凹凸があり、通常の化粧用シートパックでは有効成分がうまく付着せず、そのため肌の衰えや老化が目立ったり、皺が出来やすい箇所であるため、この使用形態を挙げた。
【実施例】
【００１１】  人間の皮膚は、太い繊維を形成して組織構造を維持するＩ型（繊維性コラーゲン）と細い繊維を形成して柔軟性を有するＩＩＩ型コラーゲン（胎児性コラーゲン）が存在しているが、この２つの割合は加齢に伴って変化するといわれ、平均して２０歳を過ぎると皮膚を外部の刺激から保護するＩＩＩ型コラーゲンが減少し、皮膚が硬化し始め、所謂「老化現象」が現れるため、化粧水等の美容成分を肌に塗布して老化の進行を遅らせているのである。【００１２】  そこで、２０歳から４０歳台の女性数名に化粧水等を顔面に塗布し、シートパックを使用してもらったところ、従来の化粧用シートパックでは肌に付着しづらかった顔面の凹凸部位の肌状態の明らかな改善が見られた、との回答を得た。
【産業上の利用可能性】
【００１３】  昨今の化粧品業界においては、若年層から熟年層まで幅広く化粧水や化粧用クリーム等の基礎化粧品の汎用性を求める傾向があり、本件発明を利用することにより製品それぞれの美容効果が最大限発揮され、化粧品毎の美容効果の相違も現在より更に明確になることが予想される。【００１４】  上記により、化粧品に対する消費者の購入意識は向上し、それに比例して化粧品業者各社も製品開発に対する姿勢、意欲、及びモラルが高まり、化粧品業界全体の産業の発達に寄与することが可能となり、その産業上の利用可能性は高い。
(57)【要約】【課題】  おむつを使用している人の体に付着した粘性が強く容易に拭き取ることのできない大便などを剥がし除去するためのへらを提供する。【解決手段】  へら１の外周に体にフィットするための凸状３、凹状２のゆるやかなカーブ及び、丸み４を設ける。【選択図】図１
2007136113.tif 000002
【特許請求の範囲】
【請求項１】
へら１の外周に体にフィットするための凸状３、凹状２のゆるやかなカーブ及び、丸み４を設け、排泄物を除去することを目的とした体に使用するへら。
【請求項２】
上記、請求項１を形成する材質として、油分、樹脂など浸透、コーティングした硬質な厚紙を使用し使い捨て可能なへら。
【請求項３】
請求項２の材質以外に使い捨てを目的としない、合成樹脂、ゴムなどの素材で形成したへら。
【発明の詳細な説明】
【技術分野】
【０００１】本発明は、へら本体の外周に体の曲線に添うようにカーブした凸、凹の箇所を設け、おむつなどを使用した人の排泄物など粘性のある物質を除去するためのへらに関するものである。
【背景技術】
【０００２】従来のへらは、平らな箇所で使用する物品はあった。又、調理用のへらにはボール、鍋など曲面の内側に使用する物品はあった。（例えば、特許文献１及び実用新案文献１参照）
【特許文献１】特開平９−２３９８８
【実公文献１】
実公平７−３５４０
【発明の開示】
【発明が解決しようとする課題】
【０００３】従来、平面部などに使用する直線的なへらはあった。又、調理用のへらは曲面部に使用するが凸面には使用し難い。【０００４】又、従来のへらには、おむつをした人の体に使用し、大便などの排泄物などを除去するへらは無かった。【０００５】それゆえ、体に付着した大便などの排泄物は濡れタオル、ペーパータオルなどで拭き除いていたが粘性の強い大便などは体にベッタリ付着しており、一度や二度の拭き取りではきれいに拭き取れず、また拭くことによる摩擦も皮膚にはかなり負担になり、おむつかぶれの原因もになっていた。【０００６】そこで本発明は、上記の問題点を解決するためのへらを提供するものである。
【課題を解決するための手段】
【０００６】へら１の外周に体にフィットするための凸状３、凹状２のゆるやかなカーブ、及び、丸み４を設ける。
本発明は、以上のような形成からなるへらである。
【発明の効果】
【０００７】本発明は、へらに凸、凹のゆるやかなカーブと角に丸みを設けてあるので皮膚への負担も少なく、おむつ使用者の臀部、大腿部、股間など体の曲線にあわせてへらを使用することにより、直線的な面のへらより広い面で付着した大便などの排泄物を容易に剥がし除去することができる。
【発明を実施するための最良の形態】
【０００８】本発明は、おむつ使用者の体に付着した大便を除去するためのへらで、これを図面について説明すれば、へら本体１に凸状３、凹状２のゆるやかなカーブを設ける。【０００９】さらに上記の凸部３と凹部２に連なる角４に丸みを設ける。
【実施例１】
【００１０】本発明は、以上のような形状でこれを使用するときは、握り持つ部分５のあたりを持ち、カーブした凹分部２を臀部、大腿部の体の曲面に当て付着した大便を除去し、さらに股間などに付着した大便は小さい丸み４、凸状のカーブ３の分部で体の凹んだ箇所の大便を取り除く。【００１１】上記の形状を製造する際の材質として紙が考えられ、紙を使用した場合は、使い捨てができるため衛生的である。【００１２】又、紙の場合は硬質の厚紙を使用し、厚紙及び厚紙の断面にワセリン、動物性、植物性のオイル、樹脂などを浸透、又はコーティングし、皮膚への刺激を最小限にすることも可能である。
【実施例２】
【００１３】その他の材質には使い捨てはできないが、セラミックス、プラスチック、などの化学製品、ゴムなどの自然製品が考えられる。【００１４】なお、本発明は前記形態、実施例に限定されるものではなく、本発明の要旨の範囲内において種々の変形実施が可能である。例えば図２、図３、図４、の形態で直線分部を設けることも考えられ、図７の形態では、へら本体を湾曲させることも可能である。【００１５】又、へらの各部分を使用する場合の持ち手分部はそのつど多少、移動する。
【図面の簡単な説明】
【００１６】
【図１】  本発明の平面図
【図２】  本発明の実施例を示す平面図
【図３】  本発明の実施例を示す平面図
【図４】  本発明の実施例を示す平面図
【図５】  本発明の実施例１の断面図
【図６】  本発明の実施例２の断面図
【図７】  本発明の実施例２の断面図
【符号の説明】
１  へら本体
２  凹状分部
３  凸状分部
４  丸み分部
５  持ち手分部
【図１】
2007136113.tif 000003
【図２】
2007136113.tif 000004
【図３】
2007136113.tif 000005
【図４】
2007136113.tif 000006
【図５】
2007136113.tif 000007
【図６】
2007136113.tif 000008
【図７】
2007136113.tif 000009
(57)【要約】【課題】  洗剤の使用量を低減し、無洗剤洗濯もしくは減洗剤洗濯を実現するとともに、洗濯槽及び被洗濯物の損傷を防止することを目的とするものである。【解決手段】  電極を保持する電気石担持体を内部に収納し、且つその水接触面部を格子状又は網目状に設けて成る電気石担持体容器を、洗濯槽の一側面に埋め込み設置した構成とするものである。【選択図】図１
2007136112.tif 000002
【特許請求の範囲】
【請求項１】
電極を保持する電気石担持体を内部に収納し、且つその水接触面部を格子状又は網目状に設けて成る電気石担持体容器を、洗濯槽の一側面に埋め込み設置したことを特徴とする電気石担持体洗浄装置を付設した洗濯機。
【発明の詳細な説明】
【技術分野】
【０００１】  本発明は、電気洗濯機（単に、洗濯機と略称する）の改良に係るものであり、さらに詳しくは、洗濯物を無洗剤洗浄化するための電気石担持体洗浄装置を付設した洗濯機に関するものである。
【背景技術】
【０００２】  電気石担持体が水と接触することで電気の流れが生ずる特徴があり、これによってＨ３Ｏ２ヒドロキシリオンが発生し界面活性質となって、洗剤と同じような洗浄作用があることが既に知られており、洗濯機の洗濯槽に洗濯物と共に電気石担持体を混入して洗濯を行う技術が、既に提案されている（例えば、特許文献１，２参照。）。
【特許文献１】特開５−１１７９３号広報
【特許文献２】特開７−５１６６４号広報
【発明の開示】
【発明が解決しようとする課題】
【０００３】  上記した両特許文献の技術は、洗剤の使用量を低減し、無洗剤洗濯もしくは減洗剤洗濯を実現できるという利点はあるが、洗濯槽及び被洗濯物を損傷し易いという欠点があった。【０００４】  そこで本発明は、洗剤の使用量を低減し、無洗剤洗濯もしくは減洗剤洗濯を実現するとともに、洗濯槽及び被洗濯物の損傷を防止することを目的とするものである。
【課題を解決するための手段】
【０００５】  本発明は、電極を保持する電気石担持体を内部に収納し、且つその水接触面部を格子状又は網目状に設けて成る電気石担持体容器を、洗濯槽の一側面に埋め込み設置した構成とするものである。
【発明の効果】
【０００６】  本発明の電気石担持体洗浄装置を付設した洗濯機は、電気石担持体洗浄装置をあらかじめ洗濯槽の一側面に埋め込んでいるので、洗濯槽自体をまったく損傷させることがなく、また洗濯物に電気石担持体及び電気石担持体の収納容器が直接的に接触することもないので、洗濯物を傷つけたり破損したりすることがないという効果がある。
【発明を実施するための最良の形態】
【０００７】  電気石担持体洗浄装置をあらかじめ洗濯槽の一側面に埋め込むことで実現した。
【実施例】
【０００８】  以下に、本発明の一実施例を図面に基づいて説明するが、図１は、本発明装置の全体構造を示す斜視図であり、図２は、電気石担持体容器の形状を示す斜視図である。なお本発明の洗濯機は、洗濯槽と電気石担持体洗浄装置を備えて成るものである。
【実施例】
【０００９】  図中１は、広く一般的に公知となっている洗濯機の洗濯槽を概略で示すもので、その側面の適所に、後述する電気石担持体容器２を埋め込み設置するようになっている。この場合において、電気石担持体容器２の設置位置は全く任意であるが、図示のような右側面または左側面で、少量の洗濯物にも対応可能な水位よりも下方に位置するように設置するのが好適である。【００１０】  上記した洗濯槽１の一側面に埋め込み設置される電気石担持体洗浄装置は、図示しない電気石担持体と図２に示す電気石担持体容器２とにより構成されるものである。この電気石担持体容器２は、図示のようなサイコロ状に形成された容器で、前記洗濯槽１との境界にある水接触面部３を格子状又は網目状４として設けたものである。またこの容器に収納される電気石担持体は、その粒子直径が２ｍｍ程度に加工されたもので、電極が強化されて安定した材質となっている。なお電気石担持体容器２の形状は、図示のような方形体ではなく、球状や円柱状などの如何なる形状としてもよく、また設置する容器の数も１個に限定するものではない。【００１１】  本発明の以上のような構成により、無洗剤洗濯もしくは減洗剤洗濯を実現するとともに、洗濯槽及び被洗濯物の損傷を防止することが可能となっている。
【産業上の利用可能】
【００１２】  従来の洗濯機の洗濯槽に大幅な設計変更をすることなく、簡単に埋め込み設置することができるので、食器洗浄機等の他の洗浄器具にも幅広く活用することが可能である。
【図面の簡単な説明】
【００１３】
【図１】本発明の一実施例を示す斜視図である。
【図２】電気石担持体容器を示す斜視図である。
【符号の説明】
【００１４】  １．洗濯層
２．電気石担持体容器
３．水接触面部
４．格子状及又は網目状
【図１】
2007136112.tif 000003
【図２】
2007136112.tif 000004
(57)【要約】      （修正有）【課題】遊戯客が大当りの継続を過度に期待し、遊戯客の射幸心を煽る弊害を取り除くと共に、パチンコ遊技機の娯楽性を向上させる。【解決手段】遊戯盤の表面に始動入賞口と電子ディスプレイと電動開閉大入賞口が設けられ、遊技領域に打ち込まれた打球が始動入賞口に入球することにより電子ディスプレイの表示図面が変動し予め定められた低確率（数百分の１）によって大当たり図柄がそろって大当たりとなった場合に電動開閉大入賞口が開成状態となって多数の打球が該電動開閉大入賞口に入賞し、電動開閉大入賞口が開閉終了後も高確率（数十分の１）で大当り図柄が揃う状態（確率変動状態）にしたパチンコ遊技機において、確率変動時に予め定められた確率によって確率変動転落図柄がそろって確率変動状態から転落し通常（低確率）状態に戻る。【選択図】なし【特許請求の範囲】
【請求項１】
遊戯盤の表面に始動入賞口と電子ディスプレイと電動開閉大入賞口が設けられ、遊技領域に打ち込まれた打球が始動入賞口に入球することにより電子ディスプレイの表示図面が変動し予め定められた低確率（数百分の１）によって大当たり図柄がそろって大当たりとなった場合に電動開閉大入賞口が開成状態となって多数の打球が該電動開閉大入賞口に入賞し、電動開閉大入賞口が開閉終了後も高確率（数十分の１）で大当り図柄が揃う状態（確率変動状態）にしたパチンコ遊技機において、確率変動時に予め定められた確率によって確率変動転落図柄がそろって確率変動状態から転落し通常（低確率）状態に戻ることを特徴としたパチンコ遊技機。
【請求項２】
前記確率変動転落図柄が４４４または９９９である、請求項１記載のパチンコ遊技機。
【請求項３】
前記確率変動転落図柄がゴキブリである、請求項１記載のパチンコ遊技機。
【請求項４】
前記確率変動転落図柄がドクロマ−クである、請求項１記載のパチンコ遊技機。
【発明の詳細な説明】
発明の属する技術分野
本発明はパチンコ遊技機に関するものである。
従来の技術
遊戯盤の表面に設けられた始動入賞口に遊戯領域に打ち込まれた打球が入球すると、該遊技盤に設けられたＣＲＴ、カラ−液晶表示装置などの電子ディスプレイに数字、記号、その他の図柄が３列にて上から下に流れる如くに変動表示され、定時間後にその図柄が左側列、右側列、中央列の順に、又はその他の順に停止して数百分の１の確率で偶然にも例えば、「３３３」、「７７７」等の予め定められた図柄に揃うと、いわゆる大当り状態となって遊戯盤下部に設けられた電動開閉大入賞口が開成状態となり、該電動開閉大入賞口に所定個数の打球が入賞するか又は所定時間経過することにより該電動開閉大入賞口が開成状態となり、その間に該電動開閉大入賞口内に設けられた継続入賞口に打球が入賞していた場合に該電動開閉大入賞口が再び開成状態となり、以降も所定の回数を限定して、例えば１６回を限度として該電動開閉大入賞口の開閉が連続することにより、遊戯客がその大当り期間中に多数の景品球を獲得できるようにし、さらに、該電動開閉大入賞口の開閉が終了後は、確率変動状態（数十分の１の高確率で図柄が揃う状態）となり、大当りが継続するパチンコ遊技機は周知の通りである。
ところで、遊戯客が大当りの継続を過度に期待し、遊戯客の射幸心を煽る弊害があった。また、確率変動状態は単調な状態の繰り返しであった。
発明が解決しようとする課題
本発明は上述に鑑みてなされたもので、確率変動時に予め定められた確率により確率変動転落図柄がそろい確率変動状態から転落させ通常（低確率）状態に戻ることによって、遊戯客の射幸心を煽る弊害を取り除くと共に、確率変動状態から転落することによる遊戯客の落胆と、確率変動転落図柄が揃わない場合の遊戯客の安堵感との交錯によってパチンコ遊技機の娯楽性を向上させるものである。
課題を解決するための手段
そのために本発明は、遊戯盤の表面に始動入賞口と電子ディスプレイと電動開閉大入賞口が設けられ、遊技領域に打ち込まれた打球が始動入賞口に入球することにより電子ディスプレイの表示図面が変動し予め定められた低確率によって大当たり図柄がそろって大当たりとなった場合に電動開閉大入賞口が開成状態となって多数の打球が該電動開閉大入賞口に入賞し、電動開閉大入賞口が開閉終了後も高確率で大当り図柄が揃う状態（確率変動状態）にしたパチンコ遊技機において、確率変動時に予め定められた確率によって確率変動転落図柄がそろって確率変動状態から転落し通常（低確率）状態に戻ることを特徴とする。
発明の実施の形態
次に本発明の実施の形態を説明する。
遊戯盤の表面に設けられた始動入賞口に遊戯領域に打ち込まれた打球が始動入賞口に入球すると、該遊技盤に設けられたＣＲＴ、カラー液晶表示装置などの電子ディスプレイに数字、記号、その他の図柄が３列にて上から下に流れる如くに変動表示され、定時間後にその図柄が左側列、右側列、中央列の順に、又はその他の順に停止して数百分の１の確率で偶然にも例えば、日本国内では縁起の悪いとされる「４４４」、「９９９」等の予め定められた図柄に揃うと、いわゆる確率変動転落図柄がそろって確率変動状態から転落し通常（低確率）状態に戻る。
前記確率変動転落図柄は一般的に嫌われているゴキブリであってもよいし、不吉な感じを想像させるドクロマ−クであってもよい。さらに、一般的に嫌われている図柄や不吉な感じを想像させる図柄ならば何でも良い。
発明の効果
以上説明したように本発明によれば、確率変動時に予め定められた確率によって確率変動転落図柄がそろって確率変動状態から転落し通常（低確率）状態に戻るようにしたので、遊戯客が大当りの継続を過度に期待し、遊戯客の射幸心を煽る弊害を取り除くと共に、確率変動状態から転落することによる遊戯客の落胆と、確率変動転落図柄が揃わない場合の遊戯客の安堵感との交錯によって、パチンコ遊技機の娯楽性を向上させることができる。
(57)【要約】【課題】吹き出し乾燥時間を短縮し、髪のダメージを少なくする。【解決手段】空気送り込み装置（ファン）の位置を（２）にすることにより、水滴吸引口及び吹き出し口を設け、水滴吸引と吹き出し乾燥の二工程を一台で可能にし、この課題を解決する。【選択図】図１
2007136121.tif 000002
【特許請求の範囲】
【請求項１】
水滴吸引口及び吹き出し口を設け、一台の機械で水滴除去及び吹き出し乾燥の二工程ができる特徴を有する髪乾燥機。
【請求項２】
吸引口にブラシ及び髪巻き込み防止用フィルターを有する髪乾燥機。
【発明の詳細な説明】
【技術分野】
【０００１】  本発明は、髪乾燥機に関するものであり、空気送り込み装置（ファン）の位置を変える事によって、水滴吸引及び吹き出し乾燥の二工程が一台で可能にしたものである。
【背景技術】
【０００２】  従来から髪乾燥機（ヘアードライヤー）は、吹き出し乾燥専用で利用されている。
【特許文献１】  知らない。
【非特許文献１】  知らない。
【発明の開示】
【発明が解決しようとする課題】
【０００３】  従来のような吹き出し専用では、乾燥に時間がかかる。冬季は特に乾きにくく、温風で長時間乾燥することにより髪にダメージを与える。本発明は、吸引によって水滴を除去することにより吹き出し乾燥時間を短縮すること及び吸引・吹き出しの二工程を一台で可能にすることを課題とする。
【課題を解決するため手段】
【０００４】  この課題を解決するための請求項１の発明は、空気送り込み装置（ファン）を図１の（２）の位置にすることにより、吸引及び吹き出しの二工程が一台で可能となる。
【０００５】  また、請求項２の発明は、（４）フィルターを設けることにより、髪の巻き込みを防止し、（３）吸引ブラシを設けることにより髪のもつれ等を整理し、吸引効率を高める。
【発明の効果】
【０００６】  本発明により髪の水滴除去を行うことにより吹き出し乾燥時間が短縮され、髪のダメージが減少できる。
【発明を実施するための最良の形態】
【０００７】  図１は、髪乾燥機の断面図である。（２）空気送り込み装置（ファン）を回転させ（Ａ）方向に空気が送り込まれることにより、（Ｂ）から（Ｃ）方向へ空気が流れる。
この原理を利用し、（３）吸引ブラシにより髪の水滴を吸引する。（５）吹き出し口から出る空気により吹き出し乾燥することができる。
【産業上の利用可能性】
【０００８】  本発明に係る髪乾燥機は工業的に量産することが可能であるため産業上の利用可能性を有する。
【図面の簡単な説明】
【０００９】
【図１】  髪乾燥機の本体断面図である。
【符号の説明】
【００１０】    １    髪乾燥機本体
２    空気送り込み装置
３    吸引ブラシ
４    髪巻き込み防止フィルター
５    吹き出し口
６    空気取り入れ口カバー
Ａ    入り口空気の流れ
Ｂ    水滴吸引口の流れ
Ｃ    吹き出し口の流れ
【図１】
2007136121.tif 000003
(57)【要約】      （修正有）【課題】トイレ等のあとに用いるペーパータオル使用時は、一枚一枚引き出して使用しているが、箱に入っている枚数が少なくなるとペーパータオルがたおれ一度に複数枚引き抜かれ資源又経費の無駄使いになっていた。そこで最後の一枚まで一枚ずつ引き出せるペーパータオルを提供する。【解決手段】ペーパータオル１の底面に台紙２を設ける。台紙には四隅に切り込みを設け、収縮性ゴム３で台紙２の四隅にペーパータオル１を固定する。この結果ペーパータオル１の枚数が少なくなっても倒れないで複数枚取り出すことがない。【選択図】図１
2007136127.tif 000002
【特許請求の範囲】
【請求項１】
ペーパー底に台紙を設けたことを特徴とするペーパータオル。
【請求項２】
前記台紙は、底面に取り付けることによりペーパーが一度に何枚も引き抜かれないことを特徴とする請求項１記載のペーパータオル。
【発明の詳細な説明】
【技術分野】
【０００１】  この発明は、ペーパータオルに関する。
【背景技術】
【０００２】  従来のペーパータオルは、図１に示すように、ペーパータオルの１がセットされるものであるが、ペーパータオルの底面に台紙２が設けられたものである。
【発明の開示】
【発明が解決しようとする課題】
【０００３】  しかしながら、以上の技術によれば、ペーパータオルが一度に何枚も引き抜かれ資源の無駄使い又経費の無駄使いになっていた。
そこで、この発明は、最後の一枚まで一枚づつ引き出せるペーパータオルを提供することを課題とする。
【課題を解決するための手段】
【０００４】  以上の課題を解決するために、第一発明は、底面に台紙を設けたことを特徴とするペーパータオルである。
また、第二は、ペーパータオルが台紙より外れないように、台紙の四隅にペーパーを固定する切込みをいれたことを特徴とするペーパータオルである。
【発明の効果】
【０００５】  第一発明、または第二発明によれば、ペーパータオルが少量になっても倒れることがなくなり、一度に何枚も引き抜かれることがないため、資源の無駄使いまた経費の無駄使いを削減することができる。
【発明を実施するための最良の形態】
【０００６】  この発明の一実施形態を、図１に示す。
ペーパータオルの本体１は紙製であり、この本体１の底面には、台紙２はペーパータオルの倒れ防止に設けられている。この台紙２には四隅に切り込みが設けられ収縮性ゴム３で四隅を固定する。
【実施形態の効果】
【０００７】  この実施形態によれば、台紙が３の収縮性ゴムで固定されペーパータオルの枚数が少なくなってもペーパータオルが、倒れないので複数枚でない。
【図面の簡単な説明】
【０００８】
【図１】
2007136127.tif 000003
【図２】
2007136127.tif 000004
【手続補正書】
【提出日】平成18年2月1日(2006.2.1)
【手続補正１】
【補正対象書類名】明細書
【補正対象項目名】０００８
【補正方法】変更
【補正の内容】
【０００８】
【図１】  １．ペーパータオル  ２．台紙  ３．収縮性ゴム  ペーパータオルの本体１は紙製であり、この本体１の底面には、台紙２はペーパータオルの倒れ防止に設けられている。この台紙２には四隅に切り込みが設けられ収縮性ゴム３で四隅を固定する。
【図２】  台紙（図１の２）の四隅に切り込みを設ける。ペーパータオルの大きさにより切り込みを入れる距離が違ってくる。
(57)【要約】      （修正有）【課題】従来の玄関でのブーツの保管する器具は、袋状の物をブーツに入れて立てておくか、ブーツを逆さまにして保管するかであった。これらはファスナーを上げなければ保管できないので、脱いだ時ファスナーを下ろしたままでも保管でき、且つ、ブーツの素材が柔らかく型崩れしやすい物でも対応できるブーツ収納器具を提供する。【解決手段】テーブル状の台の天板部分より鎖を垂らし、その先に２つ点で挟むことが出来るピンチを付ける。鎖とピンチの接続はフックでつなげる。これで、ブーツの長さに合わせてピンチの移動が出来る。ファスナーを全開にしたままでも二股ピンチで吊りあげることができ、風通しもよく、靴が蒸れず、又テーブル状の台なので天板部分にも靴が置くことができる。【選択図】図１
2007136123.tif 000002
【特許請求の範囲】
【請求項１】
玄関でブーツをファスナー全開にした状態でも、吊り上げて保管出来る、ブーツ型崩れ防止機能付き靴収納台。テーブル状の台の天板から鎖を垂らし、その先に２つの点で挟めるピンチをＳ字フックで、位置移動出来るように取り付ける。これでどんな長さのブーツも吊り上げることが出来る。
【請求項２】
二股ピンチを取り付けてあるので、ファスナーを全開にした状態でも吊り上げて保管出来る。風通しが良く、靴が蒸れずに収納が出来、天板部分にも置けるので玄関が整理整頓しやすい。
【発明の詳細な説明】
【技術分野】
【０００１】本発明は玄関で型崩れせず、どんな長さのブーツでも、風通し良く保管出来る、器具付き靴の収納台に関する。
【背景技術】
【０００２】現在販売されているブーツ型崩れ防止器具は、１足ずつファスナーを上げた状態で袋状の物を入れて保管する物が多く、袋状の物を入れたままで倒れていたり、使用する度ファスナーをあげるのが面倒だったりする。
【発明の開示】
【発明が解決しようとする課題】
【０００３】ブーツを玄関で脱いだ時、倒れた状態で並べておくのはブーツも傷み、見た目にも良くないから。
【課題を解決するための手段】
【０００４】風通しも良く、ファスナーを全開した状態で、器具を吊り上げて保管出来る台を作る
【発明の効果】
【０００５】玄関で使用する度に、脱いだブーツのファスナーを上げなくても、器具で吊り上げて保管できれば風通しも良く、蒸れずにブーツの保管が出来る。
【発明を実施するための最良の形態】
【０００６】玄関において邪魔にならない位の大きさのテーブル状の台で、天板部分には鎖を取り付けることが出来るスペースがあり、そこから鎖を垂らし、その先にフックで接続したピンチを取り付ける。ピンチは２つの点で支える形の物が良い。天板部分にも靴が置ける。
【実施例】
【０００７】天板部分は靴が横に並べて、３足ほど置ける位の大きさが適当な大きさで、高さは現在販売されているロングブーツの長さが収まる位の高さが丁度良い。ブーツを吊り上げる鎖の先端に取り付けるピンチは、ブーツの長さに合わせて調節できるように、フックで接続するピンチはブーツのファスナーが全開でも挟めるように、挟む部分が二股になっているピンチとする。又、天板部分にも靴が置ける。
【図面の簡単な説明】
【０００８】
【図１】ブーツを吊り上げて保管している状態
【符号の説明】
【０００９】１．  鎖２．  Ｓ字フック３．  二股ピンチ４．  テーブル状の台５．  テーブルと鎖をつなぐフック
【図１】
2007136123.tif 000003
(57)【要約】      （修正有）【課題】サウナに入ったときの顔の火照りスポーツ等の集中力の欠如。【解決手段】吸水性のある生地で作った肩上までのキャップを頭からすっぽり被ることにより顔の火照りを和らげると共に人の視線をシャットアウトすることによりサウナへの集中を促す。又、スポーツ時のインターバル等に被り、集中力を促す。【選択図】図１
2007136126.tif 000002
【特許請求の範囲】
【請求項１】
サウナ等に入る際、吸収性のある生地を使い、頭から肩の上まで被り、顔の火照りを和らげる。さらに他の人の目を気にせずサウナに集中できるキャップ。
他にスポーツ等のインターバルにも被り、集中力を高めるときに用いる。
【発明の詳細な説明】
【技術分野】
【０００１】本考案は、従来サウナに入ると温度が体の部分より頭部の方が高いので、頭部の火照りを和らげることにより長く入ることが出来ると共に周りの人に気を使わずサウナに集中したいときに使う。【０００２】スポーツ等のインターバルに被り、集中力を高めるときに用いる。
【背景技術】
【０００３】吸水性のある生地を使う。
【発明の開示】
【発明が解決しようとする課題】
【０００４】本考案は、従来サウナに入ると温度が体の部分より頭部の方が高いので、頭部の火照りを和らげることにより長く入ることが出来ると共に周りの人に気を使わずサウナに集中したいときに使う。
スポーツ等のインターバルに被り、集中力を高めるときに用いる。
【課題を解決するための手段】
【０００５】吸水性のある生地で作った肩上までのキャップを頭からすっぽり被ることにより顔の火照りを和らげると共に人の視線をシャットアウトすることによりサウナへの集中を促す。
又、スポーツ時のインターバル等に被り、集中力を促す。
【発明の効果】
【０００６】顔の火照りが和らぐと少しでも長くサウナに入っていられ、ダイエット効果を促す。【０００７】周りに気を使わなくていいからサウナに入りやすくなる。【０００８】周りに気を使わなくていいからスポーツに集中できる。
【実施例】吸水性のある生地を使う。
【図面の簡単な説明】
【図１】キャップを被ったときの側面図である。▲２▼の切れ目を入れることにより被りやすくする。
【符号の説明】
▲１▼キャップ    ▲２▼切れ込み    ▲３▼縫い目
【図１】
2007136126.tif 000003
(57)【要約】      （修正有）【課題】腰痛を緩和するコルセットを提供する。【解決手段】腰痛を緩和する方法として、各メーカーからいろいろな形のコルセットが  販売されております。なかには磁気の入ったコルセットなどもありますが、多数の突  起のついたコルセットは、今までありませんでした。私は、コルセットに多数の突起  を設ける事で腰を刺激する事ができますので、突起のないコルセットより、ミヤギ式  コルセットの方が腰痛を緩和する事ができます。使用方法として腰痛のする腰の所に  突起をあてるように使用します。また腰痛の腰の上と下の方もずらしながら使用する  とよりいっそう腰痛を緩和する事ができます。【選択図】図１
2007136030.tif 000002
【特許請求の範囲】
【請求項１】
突起を設けたコルセット
【請求項２】
突起を多数設けた請求項１記載のコルセット
【発明の詳細な説明】
【技術分野】
【０００１】
腰痛を緩和するためのコルセット
【背景技術】
【０００２】
私は前に腰パットで特許願いをだしてありますが腰パットを参考にして考案したコルセットです。
【特許文献１】特願２００５−０４６９８３
【発明の開示】
【発明が解決しようとする課題】
【０００３】
コルセットに多数の突起を設ける事でよりいっそう腰痛を緩和する事ができます。
【課題を解決するための手段】
【０００４】
以上の課題を解決するためにコルセットに多数の突起を設けたコルセットです。
【発明を実施するための最良の形態】
【０００５】
コルセットに多数の突起を設ける事で突起のないコルセットより腰痛を緩和する
事ができます。
【実施例１】
【０００６】
腰痛があるところにコルセットをする事で腰を刺激して腰痛を緩和します。
【産業上の利用可能性】
【０００７】
腰痛の人が利用します。
【図面の簡単な説明】
【０００８】
【図１】この発明の写真図である。（実施例１）
【図２】前に特許願を出した腰パット（実施例２）
【符号の説明】
【０００９】
１    上からの図
２    腰パット
３  
【図１】
2007136030.tif 000003
【図２】
2007136030.tif 000004
(57)【要約】【課題】現在社会全体で環境破壊の一つである空気中の化学物質を除去する方法はなかった。【解決手段】自動車に装置を取り付けることによって、社会全体の空気が浄化される。人口密集地域では工場・建物・自動車から出る化学物質は大量であるが、運行している自動車も大量である為、空気浄化の効果は多大である。【選択図】なし【特許請求の範囲】
【請求項１】
自動車に空気浄化装置を取り付け自動車が動くことによって空気中の有害物質を取り除く方式である。
【発明の詳細な説明】
【技術分野】
【０００１】自動車が動くことによって空気中のアスベスト・排気ガス中の物質等の化学物質を取り除く方式である。
【背景技術】
【０００２】従来は自動車の車内の空気を清浄する為に空気清浄機を取り付けたが車内用の空気清浄だけでなく環境を悪くする大気中の物質を自動車が動くことによって除去し、環境汚染を抑制するものである。
【発明の開示】
【発明が解決しようとする課題】
【０００３】現在の環境問題で大気汚染の物質の主流であるアスベスト・ディーゼルの排ガス内の粒状物質・ディーゼル排気微粒子・その他有害化学物質等が空気中に多く飛散している現状では、除去の為に室内に空気清浄機等を取り付けるか雨による浄化以外に空気中の有害物質を除去することはできない。
【課題を解決するための手段】
【０００４】環境破壊の元凶のように思われている自動車が動くことによってこれらの物質を取り除くことが出来るものであり、自動車のエンジンルーム・トランクルーム・ボディ空間にフィルター付きの装置を取り付けそのフィルターを定期的に交換することによって物質を除去する方法である。
【発明の効果】
【０００５】現在日本で運行されている自動車は約７０００万台で自動車には車検制度がありフィルターを取り替える義務を課せれば強制的にフィルターが交換され、その自動車が運行することによって空気を浄化することが出来れば野放しでお手上げ状態の空気中の有害物質を除去することが出来るという画期的な方法である。
【実施例】
【０００６】自動車のエンジンルーム・トランクルーム・ボディ空間にフィルターを付け空気の流れにより化学物質をフィルターに付着させ除去させる。空気流通の動力源はバッテリー・ソーラー電源・燃料電池・自動車のエンジン始動により発生する動力源・走行による自然流入を使う。